(57)【要約】      （修正有）【課題】大型のトラックなどでの輸送を必要とせず、しかも、施工現場での作業工数を最小限に抑えることの可能な可動式ハウスを提供する。【解決手段】可動式ハウス１００は、壁１００Ａ、床１００Ｂおよび天井１００Ｃが複数の木質パネルで構成されたボックス部を備えている。ボックス部の壁には、少なくとも１つの扉用開口部１０１および少なくとも１つの窓用開口部１０２が設けられている。可動式ハウスは、さらに、扉用開口部ごとに設けられる１または複数の扉５と、窓用開口部ごとに設けられる１または複数の窓４と、床に取り付け可能に構成された１または複数のキャスター６とを備えている。各木質パネルは、ＪＡＳ規格によって規定された構造用合板と、構造用合板に固定された木製枠材とを有している。【選択図】図１
0003233366.tif 000002
【実用新案登録請求の範囲】
【請求項１】
壁、床および天井が複数の木質パネルで構成され、さらに、前記壁には少なくとも１つの扉用開口部および少なくとも１つの窓用開口部が設けられたボックス部と、
前記扉用開口部ごとに設けられる１または複数の扉と、
前記窓用開口部ごとに設けられる１または複数の窓と、
前記床に取り付け可能に構成された１または複数のキャスターと
を備え、
各前記木質パネルは、
ＪＡＳ規格によって規定された構造用合板と、
前記構造用合板に固定された木製枠材と
を有する
可動式ハウス。
【請求項２】
前記木製枠材は、前記構造用合板と平行な方向に延在する、ボルトを通すための複数の第１の貫通孔を有し、
前記ボックス部は、互いに接する２枚の前記木質パネルにおける、一方の前記木質パネルの前記第１の貫通孔と、他方の前記木質パネルの前記第１の貫通孔とに挿通されるボルトと、
前記ボルトを前記木質パネルに固定するナットと
をさらに有する
請求項１に記載の可動式ハウス。
【請求項３】
互いに接する２枚の前記木質パネルにおける、一方の前記木質パネルの前記木製枠材と、他方の前記木質パネルの前記木製枠材とは、ビスで互いに固定される
請求項１に記載の可動式ハウス。
【請求項４】
前記木製枠材は、前記構造用合板と平行な方向に延在する、配管を通すための複数の第２の貫通孔を有し、
複数の前記第２の貫通孔は、２回回転対称の位置に配置されている
請求項２または請求項３に記載の可動式ハウス。
【考案の詳細な説明】
【技術分野】
【０００１】  本考案は、可動式ハウスに関する。
【背景技術】
【０００２】  従来から、一般住宅などの建物のコストを低減するために、ツーバイフォーなどの建物部材のユニット化が盛んに行われている。
【考案の概要】
【考案が解決しようとする課題】
【０００３】  建物部材のユニット化は、必要な職人の数の削減や、施工現場での工数の削減に寄与している。しかし、ユニット化された建物部材は、大型のトラックなどでの輸送を必要とするので、狭い道路に面した土地での建築には向かない。また、地震や津波、台風などの災害によって、住宅などの建築物が損壊した被災地に対しても、ユニット化された建物部材を持ち込むことは容易ではない。従って、大型のトラックなどでの輸送を必要とせず、しかも、施工現場での作業工数を最小限に抑えることの可能な可動式ハウスを提供することが望ましい。
【課題を解決するための手段】
【０００４】  本考案の一実施の形態に係る可動式ハウスは、壁、床および天井が複数の木質パネルで構成されたボックス部を備えている。ボックス部の壁には、少なくとも１つの扉用開口部および少なくとも１つの窓用開口部が設けられている。本考案の一実施の形態に係る可動式ハウスは、さらに、扉用開口部ごとに設けられる１または複数の扉と、窓用開口部ごとに設けられる１または複数の窓と、床に取り付け可能に構成された１または複数のキャスターとを備えている。各木質パネルは、ＪＡＳ規格によって規定された構造用合板と、構造用合板に固定された木製枠材とを有している。【０００５】  本考案の一実施の形態に係る可動式ハウスでは、ＪＡＳ規格によって規定された構造用合板に木製枠材が固定された木質パネルがボックス部の壁、床および天井に用いられている。これにより、例えば、施工現場で、複数の木質パネルを組み合わせたり、複数のボックス部を、通路等を介して連結したりすることで、様々な形や大きさの家を構築することができる。また、本考案の一実施の形態に係る可動式ハウスでは、１または複数のキャスターをボックス部の床に取り付けることにより、施工現場で、ボックス部を容易に移動させることができる。
【考案の効果】
【０００６】  本考案の一実施の形態に係る可動式ハウスによれば、ＪＡＳ規格によって規定された構造用合板に木製枠材が固定された木質パネルをボックス部の壁、床および天井に用い、さらに、ボックス部の床に１または複数のキャスターを取り付け可能にしたので、施工現場で、複数の木質パネルを組み合わせたり、複数のボックス部を、通路等を介して連結したりすることで、様々な形や大きさの家を構築することができ、また、施工現場で、ボックス部を容易に移動させることができる。従って、大型のトラックなどでの輸送を必要とせず、しかも、施工現場での作業工数を最小限に抑えることができる。
【図面の簡単な説明】
【０００７】
【図１】本考案の一実施の形態にかかる可動式ハウスの斜視構成例を表す図である。
【図２】図１の可動部の斜視構成例および底面構成例を表す図である。
【図３】図１の木質パネルの斜視構成例を表す図である。
【図４】図１の木質パネルが複数組み合わされた木質パネルモジュールの斜視構成例を表す図である。
【図５】図４の木質パネルモジュールにおける、ボルト付近を拡大して表す図である。
【図６】図４の木質パネルモジュールにおける、ボルト付近を拡大して表す図である。
【図７】図４の木質パネルモジュールに配管を通した様子を表す図である。
【図８】図３の木質パネルの斜視構成の一変形例を表す図である。
【図９】図４の木質パネルモジュールの一変形例を拡大して表す図である。
【図１０】図１の可動式ハウスを複数連結した様子を表す図である。
【考案を実施するための形態】
【０００８】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【０００９】  本考案の一実施の形態に係る可動式ハウス１００の構成について説明する。図１は、可動式ハウス１００の斜視構成例を表したものである。可動式ハウス１００は、パネル工法によって建てられた建物であり、壁や床、天井の下地材（構造材）が複数の木質パネル１を組み建てることにより製造される建物である。パネル工法とは、建築物の壁や床、天井の下地材（構造材）をあらかじめ工場にてパネル化しておき、パネル化された複数の部材（建築用パネル）を施工現場で組み立てることにより、建築物を建てる工法を指している。
【００１０】  可動式ハウス１００は、例えば、図１に示したように、壁１００Ａ、床１００Ｂおよび天井１００Ｃが複数の木質パネル１で構成されたボックス部を備えている。壁１００Ａには、少なくとも１つの扉用開口部１０１および少なくとも１つの窓用開口部１０２が設けられている。
【００１１】  扉用開口部１０１は、例えば、１枚の木質パネル１の大きさに相当する大きさとなっており、壁１００Ａを構成する複数の木質パネル１のうちの、１枚の木質パネル１を省略することにより形成され得る。窓用開口部１０２は、例えば、壁１００Ａを構成する複数の木質パネル１のうちの、垂直方向に一列に配列された複数の木質パネル１を省略することにより形成され得る。木質パネル１については、後に詳述する。
【００１２】  可動式ハウス１００は、さらに、例えば、図１に示したように、１または複数の扉５と、１または複数の窓４とを備えている。扉５は、扉用開口部１０１ごとに設けられ、扉用開口部１０１に取り付け可能に構成されている。扉５は、扉用開口部１０１に対して、扉５の垂直方向に延在する端辺を中心軸として回動可能に取り付けられる。窓４は、窓用開口部１０２ごとに設けられ、窓用開口部１０２に取り付け可能に構成されている。窓４は、窓用開口部１０２に対して、窓４の垂直方向もしくは水平方向に延在する端辺を中心軸として回動可能に取り付けられる。
【００１３】  可動式ハウス１００は、さらに、例えば、図１に示したように、ボックス部（床１００Ｂ）の下に設けられた１または複数の可動部６を備えている。各可動部６は、床１００Ｂに取り付け可能に構成されている。各可動部６は、例えば、図２に示したように、ボックス部（床１００Ｂ）の下面に接して固定される架台下部６１と、架台下部６１に固定される１または複数のキャスター６２とを有している。架台下部６１は、例えば、方形状の金属平板である。架台下部６１には、ボルトを挿通可能な複数のボルト孔６１ａが設けられている。例えば、ボックス部をジャッキアップした状態で、ボックス部（床１００Ｂ）の下面に架台下部６１を接触させ、架台下部６１のボルト孔６１ａと、床１００Ｂに形成された、ボルトを挿通可能なボルト孔とにボルトを挿通し、そのボルトをナットで床１００Ｂに固定することにより、架台下部６１を床１００Ｂに固定することができる。例えば、図２に示したように、可動部６に対して３つのキャスター６２が設けられている場合、２つのキャスター６２については回転軸が固定され、残りの１つのキャスター６２については回転軸が架台下部６１と平行な面内で自由に動くように固定される。
【００１４】  図３は、木質パネル１の斜視構成例を表したものである。木質パネル１は、パネル工法によって建築物を建てる際に用いられる建築用パネルであり、建築物の壁や床、天井の下地材（構造材）に用いられる。木質パネル１は、施工現場での加工により生産される部材ではなく、工場での加工により生産される部材である。そのため、木質パネル１の品質は、天候や作業者の技量に左右されることがなく、高品質で安定している。木質パネル１には、防腐処理が施されていることが好ましい。木質パネル１に防腐処理が施される前に、木質パネル１の所定位置に、ボルトなどを通すための孔が設けられていることが好ましい。これにより、施行現場での孔空け作業が不要となるだけでなく、孔空けによる防腐効果の低減が防止される。
【００１５】  木質パネル１は、例えば、合板１０、枠材２０および支持材３０によって構成されている。合板１０は、例えば、ＪＡＳ（Ｊａｐａｎｅｓｅ  Ａｇｒｉｃｕｌｔｕｒａｌ  Ｓｔａｎｄａｒｄ）規格によって規定された構造用合板である。構造用合板の規格はＪＡＳ規格によって規定されている。構造用合板は、ＪＡＳ規格によると、合板のうち、化粧ばり構造用合板以外の合板で建築物の構造耐力上主要な部分に使用するもの（さね加工を施したものを含む。）をいう。構造用合板は、ＪＡＳ規格によると、以下のいずれかのサイズとなっている。
【００１６】構造用合板のサイズ
幅（ｍｍ）    ×  長さ（ｍｍ）
９００            １，８００、１８１８
９１０            １，８２０、２，１３０、２，４４０、２，７３０、３，０３０    ９５５            １，８２０
１，０００        ２，０００
１，２２０        ２，４４０、２，７３０
【００１７】  枠材２０は、合板１０に固定された木製枠材であり、例えば、角材で構成されている。支持材３０は、合板１０に固定された木製支持材であり、例えば、角材で構成されている。枠材２０および支持材３０は、例えば、釘、ネジ、接着剤等によって、合板１０に固定されている。枠材２０は、合板１０の縁に沿って配置されており、合板１０の横方向に延在する縁に沿って配置された複数の横枠材２１と、合板１０の縦方向に延在する縁に沿って配置された複数の縦枠材２２によって構成されている。図３には、枠材２０が２本の横枠材２１および２本の縦枠材２２によって構成されている場合が例示されている。各横枠材２１および各縦枠材２２は、例えば、角材で構成されている。支持材３０は、合板１０の縁以外の箇所に配置された木製枠材であり、例えば、角材で構成されている。支持材３０は、枠材２０を支持するためのものであり、支持材３０の両端が枠材２０に接している。
【００１８】  枠材２０は、合板１０と平行な方向に延在する複数の貫通孔２１Ａおよび複数の貫通孔２２Ａを有している。複数の貫通孔２１Ａは横枠材２１に設けられており、複数の貫通孔２２Ａは縦枠材２２に設けられている。各貫通孔２１Ａおよび各貫通孔２２Ａは、配管（例えば、水道管や、電気配線を通すための配管）を通すためのものである。複数の貫通孔２１Ａおよび複数の貫通孔２２Ａは、木質パネル１において、２回回転対称の位置に配置されている。貫通孔２１Ａの数や位置は、図３に記載された内容に限定されるものではない。貫通孔２２Ａの数や位置は、図３に記載された内容に限定されるものではない。
【００１９】  枠材２０は、さらに、貫通孔２２Ａとは異なる位置に、合板１０と平行な方向に延在する複数の貫通孔２１Ｂおよび複数の貫通孔２２Ｂを有している。複数の貫通孔２１Ｂは横枠材２１に設けられており、複数の貫通孔２２Ｂは縦枠材２２に設けられている。各貫通孔２１Ｂおよび各貫通孔２２Ｂは、後述のボルト７０を通すためのものである。複数の貫通孔２１Ｂおよび複数の貫通孔２２Ｂは、木質パネル１において、２回回転対称の位置に配置されている。貫通孔２１Ｂの数や位置は、図３に記載された内容に限定されるものではない。貫通孔２２Ｂの数や位置は、図３に記載された内容に限定されるものではない。
【００２０】  支持材３０は、合板１０と平行な方向に延在する複数の貫通孔３０Ａを有している。各貫通孔３０Ａは、配管（例えば、水道管や、電気配線を通すための配管）を通すためのものである。各貫通孔３０Ａの位置は、特に限定されない。支持材３０が縦枠材２２と平行に配置されている場合には、各貫通孔３０Ａは、例えば、貫通孔２２Ａと対向する位置に配置されている。支持材３０が横枠材２１と平行に配置されている場合には、各貫通孔３０Ａは、例えば、貫通孔２１Ａと対向する位置に配置されている。
【００２１】  図４は、複数の木質プレート１が組み合わされた木質パネルモジュール２の斜視構成例を表したものである。木質パネルモジュール２が、壁１００Ａ、床１００Ｂおよび天井１００Ｃに用いられる。図５（Ａ）、図５（Ｂ）、図６（Ａ）、図６（Ｂ）は、木質パネルモジュール２における、ボルト７０付近を拡大して表す図である。
【００２２】  木質パネルモジュール２は、工場で組み立てられたものであってもよいし、施行現場で組み立てられたものであってもよい。木質パネルモジュール２において、複数の木質プレート１は、例えば、図４に示したように、千鳥張りされている。木質パネルモジュール２において、複数の木質プレート１は、イモ張りされていてもよい。複数の木質プレート１が千鳥張りされる場合には、木質プレート１の半分の大きさの木質プレート３が木質パネルモジュール２の縁に嵌め込まれる。木質プレート３は、合板１０の半分の大きさの合板４０と、枠材２０の半分の大きさの枠材５０と、支持材３０の半分の大きさの支持材６０とにより構成されている。枠材５０は、例えば、横枠材２１と同じ長さの複数の横枠材５１と、縦枠材２２の半分の長さの複数の縦枠材５２とにより構成されている。
【００２３】  横方向に互いに接する２枚の木質パネル１において、一方の木質パネル１の貫通孔２２Ａと、他方の木質パネル１の貫通孔２２Ａとは、互いに同軸上に位置している。つまり、横方向に互いに接する２枚の木質パネル１において、一方の木質パネル１の貫通孔２２Ａと、他方の木質パネル１の貫通孔２２Ａとは、互いに連通している。なお、例えば、図６（Ａ）、図６（Ｂ）示したように、互いに連通している２つの貫通孔２２Ａ内に連結管９０が嵌め込まれていてもよい。連結管９０は、２つの貫通孔２２Ａの内面を保護するためのものである。
【００２４】  縦方向に互いに接する２枚の木質パネル１において、一方の木質パネル１の貫通孔２１Ａと、他方の木質パネル１の貫通孔２１Ａとは、互いに同軸上に位置している。つまり、縦方向に互いに接する２枚の木質パネル１において、一方の木質パネル１の貫通孔２１Ａと、他方の木質パネル１の貫通孔２１Ａとは、互いに連通している。なお、互いに連通している２つの貫通孔２１Ａ内に連結管９０が嵌め込まれていてもよい。
【００２５】  横方向に互いに接する２枚の木質パネル１において、一方の木質パネル１の貫通孔２２Ｂと、他方の木質パネル１の貫通孔２２Ｂとは、互いに同軸上に位置している。つまり、横方向に互いに接する２枚の木質パネル１において、一方の木質パネル１の貫通孔２２Ｂと、他方の木質パネル１の貫通孔２２Ｂとは、互いに連通している。木質パネルモジュール２は、互いに連通している２つの貫通孔２２Ｂに挿通されたボルト７０と、ボルト７０を、横方向に互いに接する２枚の木質パネル１に固定するナット８０とを備えている。
【００２６】  縦方向に互いに接する２枚の木質パネル１において、一方の木質パネル１の貫通孔２１Ｂと、他方の木質パネル１の貫通孔２１Ｂとは、互いに同軸上に位置している。つまり、縦方向に互いに接する２枚の木質パネル１において、一方の木質パネル１の貫通孔２１Ｂと、他方の木質パネル１の貫通孔２１Ｂとは、互いに連通している。木質パネルモジュール２は、互いに連通している２つの貫通孔２１Ｂに挿通されたボルト７０と、ボルト７０を、縦方向に互いに接する２枚の木質パネル１に固定するナット８０とを備えている。
【００２７】  木質パネルモジュール２において、例えば、図７に示したように、配管９１が複数の貫通孔２２Ａおよび１つの貫通孔２１Ａを貫通していてもよいし、配管９１が複数の貫通孔２２Ａおよび複数の貫通孔２１Ａを貫通していてもよい。このように、木質パネルモジュール２では、配管９１を比較的自由自在に配置することが可能である。
【００２８】  次に、可動式ハウス１００の効果について説明する。
【００２９】  従来から、一般住宅などの建物のコストを低減するために、ツーバイフォーなどの建物部材のユニット化が盛んに行われている。建物部材のユニット化は、必要な職人の数の削減や、施工現場での工数の削減に寄与している。しかし、ユニット化された建物部材は、大型のトラックなどでの輸送を必要とするので、狭い道路に面した土地での建築には向かない。また、地震や津波、台風などの災害によって、住宅などの建築物が損壊した被災地に対しても、ユニット化された建物部材を持ち込むことは容易ではない。
【００３０】  一方、可動式ハウス１００では、ＪＡＳ規格によって規定された構造用合板からなる合板１０に枠材２０が固定された木質パネル１がボックス部の壁１００Ａ、床１００Ｂおよび天井１００Ｃに用いられている。これにより、例えば、施工現場で、複数の木質パネル１を組み合わせたり、複数のボックス部を、通路等を介して連結したりすることで、様々な形や大きさの家を構築することができる。また、可動式ハウス１００では、１または複数の可動部６をボックス部の床１００Ｂに取り付けることにより、施工現場で、可動式ハウス１００を容易に移動させることができる。従って、大型のトラックなどでの輸送を必要とせず、しかも、施工現場での作業工数を最小限に抑えることができる。
【００３１】  また、可動式ハウス１００では、合板１０に固定された枠材２０に、ボルト７０を通すための複数の貫通孔２１Ｂおよび複数の貫通孔２２Ｂが設けられている。これにより、互いに接する２枚の木質パネル１における、一方の木質パネル１の貫通孔２１Ｂ（または貫通孔２２Ｂ）と、他方の木質パネル１の貫通孔２１Ｂ（または貫通孔２２Ｂ）とにボルト７０を挿通し、そのボルト７０をナット８０で木質パネル１に固定することにより、複数の木質パネル１同士を固定することができる。その結果、大型のトラックなどでの輸送を必要とせず、しかも、施工現場での作業工数を最小限に抑えることができる。
【００３２】  また、複数の貫通孔２１Ｂおよび複数の貫通孔２２Ｂが、木質パネル１において、２回回転対称の位置に配置されていてもよい。この場合、複数の木質パネル１を、上下左右を気にせずに無造作に並べて配置した際に、互いに接する２枚の木質パネル１において、一方の木質パネル１の貫通孔２１Ｂ（または貫通孔２２Ｂ）と、他方の木質パネル１の貫通孔２１Ｂ（または貫通孔２２Ｂ）とが同軸となるように配置される。つまり、複数の木質パネル１を壁１００Ａや床１００Ｂ、天井１００Ｃの下地材に用いた際に、複数の木質パネル１を無造作に組み合わせるだけで、複数の木質パネル１同士を固定することができる。その結果、大型のトラックなどでの輸送を必要とせず、しかも、施工現場での作業工数を最小限に抑えることができる。
【００３３】  また、合板１０に固定された枠材２０に、配管９１を通すための複数の貫通孔２１Ａおよび複数の貫通孔２２Ａが設けられており、複数の貫通孔２１Ａおよび複数の貫通孔２２Ａは、木質パネル１において、２回回転対称の位置に配置されていてもよい。この場合、複数の木質パネル１を、上下左右を気にせずに無造作に並べて配置した際に、互いに接する２枚の木質パネル１において、一方の木質パネル１の貫通孔２１Ａ（または貫通孔２２Ａ）と、他方の木質パネル１の貫通孔２１Ａ（または貫通孔２２Ａ）とが同軸となるように配置される。つまり、複数の木質パネル１を壁１００Ａや床１００Ｂ、天井１００Ｃの下地材に用いた際に、複数の木質パネル１を無造作に組み合わせるだけで、壁１００Ａや床１００Ｂ、天井１００Ｃの下地材に配管９１を通す通路を設けることができる。その結果、大型のトラックなどでの輸送を必要とせず、しかも、施工現場での作業工数を最小限に抑えることができる。
【００３４】  上記実施の形態において、例えば、図８に示したように、配線用の貫通孔２１Ａ，２２Ａ，３０Ａが省略されていてもよい。この場合であっても、上記の実施の形態と同様、大型のトラックなどでの輸送を必要とせず、しかも、施工現場での作業工数を最小限に抑えることができる。
【００３５】  上記実施の形態およびその変形例において、例えば、図９に示したように、互いに接する２枚の木質パネル１における、一方の木質パネル１の枠材２０と、他方の木質パネル１の枠材２０とが、ビス７１で互いに固定されてもよい。このようにした場合には、枠材２０に対して、貫通孔２１Ｂ，２２Ｂを設ける必要がなくなり、さらに、ボルト止め作業の際に枠材２０に欠損を生じさせるのを避けることができる。
【００３６】  例えば、図１０に示したように、上記実施の形態およびその変形例に係る複数の可動式ハウス１００が、通路２００を介して連結されてもよい。このとき、可動式ハウス１００の窓５に通路２００が連結される。さらに、例えば、図１０に示したように、上記実施の形態およびその変形例に係る複数の可動式ハウス１００の窓５にスロープデッキ３００が連結されてもよい。このようにすることで、様々な形や大きさの家を構築することができる。
【００３７】  １…木質パネル、２…木質パネルモジュール、３…木質プレート、４…窓、５…扉、６…可動部、１０…合板、２０…枠材、２１…横枠材、２１Ａ，２１Ｂ…貫通孔、２２…縦枠材、２２Ａ，２２Ｂ…貫通孔、３０…支持材、３０Ａ…貫通孔、４０…合板、５０…枠材、５１…横枠材、５２…縦枠材、６０…支持材、６１…架台下部、６１ａ…ボルト孔、６２…キャスター、７０…ボルト、７１…ビス、８０…ナット、９０…連結管、９１…配管、１００…可動式ハウス、１００Ａ…壁、１００Ｂ…床、１００Ｃ…天井、１０１…扉用開口部、１０２…窓用開口部、２００…通路、３００…スロープデッキ。
【図１】
0003233366.tif 000003
【図２】
0003233366.tif 000004
【図３】
0003233366.tif 000005
【図４】
0003233366.tif 000006
【図５】
0003233366.tif 000007
【図６】
0003233366.tif 000008
【図７】
0003233366.tif 000009
【図８】
0003233366.tif 000010
【図９】
0003233366.tif 000011
【図１０】
0003233366.tif 000012